(57)【要約】      （修正有）【課題】手ぬぐい生地の両面をより適切に染色する染色装置を提供する。【解決手段】染色装置１は、移動する手ぬぐい生地１００の一の面に外周面が押し当てられ当該外周面４ａ上の染料で当該一の面に色及び模様の少なくとも何れかを転写する転写ロール４と、手ぬぐい生地１００の移動方向の転写ロール４の後段で手ぬぐい生地１００に転写された模様や色を検出する染色状態検出部６と、染色状態検出部６の検出結果を基に、手ぬぐい生地１００に転写された一の面の模様や色が手ぬぐい生地１００の他の面の模様や色に対して予め設定した色、模様になるように一の面への転写ロール４の外周面４ａの接触圧力を調整するロール圧制御部７とを有している。【選択図】図１
0003229983.tif 000002
【実用新案登録請求の範囲】
【請求項１】
移動する被染色生地の表面及び裏面の何れか一の面に外周面が押し当てられ当該外周面上の染料で当該一の面に色及び模様の少なくとも何れかを転写するロールと、
前記被染色生地の移動方向の前記ロールの後段で当該被染色生地に転写された色及び模様の少なくとも何れかを検出する検出手段と、
前記検出手段の検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、
を有する染色装置。
【請求項２】
前記予め設定した色及び模様の少なくとも何れかの状態は、前記被染色生地が商品とされた際に両面が商品の使用者によって利用できるように設定された状態である請求項１に記載の染色装置。
【請求項３】
前記被染色生地は手ぬぐい生地である請求項１又は２に記載の染色装置。
【請求項４】
移動する被染色生地の表面及び裏面の何れか一の面に外周面が押し当てられ当該外周面上の染料で当該一の面に色及び模様の少なくとも何れかを転写するロールと、
前記被染色生地の移動方向の前記ロールの後段で当該被染色生地に転写された色及び模様の少なくとも何れかを検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、
を有する染色装置。
【請求項５】
移動する被染色生地の表面及び裏面の何れか一の面にロールの外周面が押し当てられ当該外周面上の染料で当該一の面に色及び模様の少なくとも何れかを転写し、
前記被染色生地の移動方向の前記ロールの後段で当該被染色生地に転写された色及び模様の少なくとも何れかを検出し、
検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する染色装置。
【考案の詳細な説明】
【技術分野】
【０００１】
本考案は、手ぬぐい生地に好適な染色の技術に関する。
【背景技術】
【０００２】
従来、様々な染色方法が提案されている（特許文献１）。
【先行技術文献】
【特許文献】
【０００３】
【特許文献１】特許第６５７３２９９号
【考案の概要】
【考案が解決しようとする課題】
【０００４】
ところで、従来より、手ぬぐい生地の片面だけを染色する技術は存在していたが、両面を染色する技術は存在しなかった。
【０００５】
本考案の目的は、手ぬぐい生地の両面をより適切に染色することである。
【課題を解決するための手段】
【０００６】
前記課題を解決するために、本考案の第１の態様は、移動する被染色生地の表面及び裏面の何れか一の面に外周面が押し当てられ当該外周面上の染料で当該一の面に色及び模様の少なくとも何れかを転写するロールと、前記被染色生地の移動方向の前記ロールの後段で当該被染色生地に転写された色及び模様の少なくとも何れかを検出する検出手段と、前記検出手段の検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、を有する染色装置である。
【０００７】
また、本考案の第２の態様では、前記予め設定した色及び模様の少なくとも何れかの状態は、前記被染色生地が商品とされた際に両面が商品の使用者によって利用できるように設定された状態であることが好ましい。
【０００８】
また、本考案の第３の態様では、前記被染色生地は手ぬぐい生地であることが好ましい。
【０００９】
前記課題を解決するために、本考案の第４の態様は、移動する被染色生地の表面及び裏面の何れか一の面に外周面が押し当てられ当該外周面上の染料で当該一の面に色及び模様の少なくとも何れかを転写するロールと、前記被染色生地の移動方向の前記ロールの後段で当該被染色生地に転写された色及び模様の少なくとも何れかを検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、を有する染色装置である。
【００１０】
前記課題を解決するために、本考案の第５の態様は、移動する被染色生地の表面及び裏面の何れか一の面にロールの外周面が押し当てられ当該外周面上の染料で当該一の面に色及び模様の少なくとも何れかを転写し、前記被染色生地の移動方向の前記ロールの後段で当該被染色生地に転写された色及び模様の少なくとも何れかを検出し、検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する染色装置である。
【考案の効果】
【００１１】
本考案の前記第１、３、４、５の態様によれば、手ぬぐい生地の両面をより適切に染色することができる。
【００１２】
本考案の前記第２の態様によれば、染色装置は、商品の多様化を可能にする。
【図面の簡単な説明】
【００１３】
【図１】図１は、染色装置の構成例を示す図である。
【図２】図２は、染色装置の転写ロールの構成例を示す斜視図である。
【考案を実施するための形態】
【００１４】
本考案の実施形態を図面を参照しつつ説明する。
本実施形態では、染色装置を挙げている。
【００１５】
（構成）
図１は、染色装置の構成例を示す図である。
【００１６】
図１に示すように、染色装置１は、染料槽２、浸漬ロール３、転写ロール４、送りロール５、染色状態検出部６、及びロール圧制御部７を有している。
【００１７】
染料槽２は、上面が開口されている容器であり、染料液２ａが貯蔵されている。浸漬ロール３は、円柱形状をなし、一部が染料槽２に浸漬されている。浸漬ロール３は、外周面３ａが染料液２ａを含浸できる構造になっている。浸漬ロール３は、回転しながら外周面３ａに染料液２ａを含浸させ、外周面３ａに含浸させた染料液２ａを転写ロール４の外周面４ａに塗布する。この浸漬ロール３の回転軸とその回転軸が平行になるように、転写ロール４、送りロール５が配置されている。
【００１８】
転写ロール４は、円柱形状をなし、外周面４ａが浸漬ロール３の外周面３ａとほぼ接触している。転写ロール４は、回転しながら送りロール５によって送られてくる手ぬぐい用の手ぬぐい生地１００に色及び模様の少なくとも何れかを外周面４ａで転写する。例えば、転写ロール４は、手ぬぐい生地１００に模様を転写する場合、外周面４ａにその模様に対応する溝（凹溝）が形成されている。
【００１９】
図２は、手ぬぐい生地１００に模様を転写するための溝が外周面４ａに形成された転写ロール４の構成例を示す図である。
【００２０】
図２に示すように、転写ロール４の外周面４ａに花等の模様に対応する溝４ｂが形成されている。
【００２１】
送りロール５は、円筒形状をなし、外周面５ａが転写ロール４の外周面４ａとほぼ接触している。送りロール５は、手ぬぐい生地１００が巻かれており、回転しながら手ぬぐい生地１００を転写ロール４との接触部を通過させてその後段に送っている。その後段部Ｓに染色状態検出部６が配置されている。
【００２２】
染色状態検出部６は、手ぬぐい生地１００の送り方向において転写ロール４の後段に配置されている。染色状態検出部６は、送られてくる手ぬぐい生地１００における転写ロール４によって染色された面（以下、今回染色面という。）１００ａ側に配置されており、転写ロール４によって染色された染色状態を検出する。例えば、染色状態検出部６は今回染色面１００ａを撮像するカメラである。染色状態検出部６は、検出結果をロール圧制御部７に出力する。
【００２３】
ロール圧制御部７は、検出結果を基に、転写ロール４が手ぬぐい生地１００に接触する圧力であるロール圧を制御する。具体的には、ロール圧制御部７は、今回染色面１００ａの色、模様が手ぬぐい生地１００の今回染色面１００ａとは反対側の既に染色されている面（以下、前回染色面という。）１００ｂの色、模様に対して予め設定した色、模様の状態になるように今回染色面１００ａへの転写ロールのロール圧を調整、制御する。例えば、予め設定した色、模様とは、今回染色面１００ａと前回染色面１００ｂとが調和がとれた色、模様である。また、予め設定した色、模様は、手ぬぐい生地１００が商品とされた際に両面１００ａ，１００ｂが商品の使用者によって利用できるように設定された色、模様である。
【００２４】
また、ロール圧制御部７は、前回染色面１００ｂの画像データ（例えば、撮像画像データ）が記憶されており、記憶されている前回染色面１００ｂの画像データと、検出結果として取得した今回染色面１００ａの画像データとを比較して、今回染色面１００ａの色、模様が予め設定した色、模様の状態なるように今回染色面への転写ロール４のロール圧を調整、制御する。
【００２５】
また、例えば、転写ロール４は、送りロール５に対して接離できるように回転軸が移動できるようになっており、ロール圧制御部７は、転写ロール４のこのような回転軸の移動を制御して、ロール圧を制御する。
【００２６】
（動作、作用等）
次に、染色装置１の動作、及びその作用等の一例について説明する。
【００２７】
染色装置１は、浸漬ロール３が回転しながら外周面３ａに染料槽２の染料液２ａを含浸させ、外周面３ａに含浸させた染料液２ａを転写ロール４の外周面４ａに塗布する。転写ロール４は、回転しながら、外周面４ａに塗布された染料を送りロール５によって送られて移動してくる手ぬぐい生地１００に色や模様を外周面４ａで転写する。手ぬぐい生地１００に模様を転写する場合においては、染色装置１は、転写ロール４の外周面４ａに形成されている模様に対応する溝４ｂ内に含まれている染料で転写することで、手ぬぐい生地１００に模様を転写する。
【００２８】
染色状態検出部６は、転写ロール４の後段で、送られてくる手ぬぐい生地１００の今回染色面１００ａの染色状態を検出し、その検出結果をロール圧制御部７に出力する。ロール圧制御部７は、検出結果を基に、今回染色面１００ａの色、模様が手ぬぐい生地１００の前回染色面１００ｂの色、模様に対して予め設定した色、模様になるように今回染色面１００ａへの転写ロール４のロール圧を調整、制御する。これにより、手ぬぐい生地１００の両面１００ａ，１００ｂに染色された色や模様は、互いの面で調和がとれた状態になる等、予定された色、模様の関係になる。
【００２９】
（本実施形態における効果）
（１）染色装置１は、手ぬぐい生地１００の両面をより適切に染色することができる。さらに、染色装置１は、ロール圧の調整といった簡易な調整だけで、手ぬぐい生地１００の両面をより適切に染色することができる。
【００３０】
（２）染色装置１は、前述の予め設定した色又は模様が、手ぬぐい生地１００が手ぬぐいとして商品とされた際に両面が商品の使用者によって利用できるように設定された色、模様であることで、手ぬぐいの商品としての多様化を可能にする。例えば、このように染色された手ぬぐい生地１００は、円筒形状のスヌードとして商品化されることで、そのスヌードは、両面が利用可能なリバーシブルのスヌードとして提供される。
【００３１】
なお、前述の実施形態において、染色状態検出部６は、例えば、検出手段を構成している。また、ロール圧制御部７は、例えば、調整手段を構成している。
【００３２】
（本実施形態の変形例等）
前記の実施形態では、染色装置１は、色のみ、模様のみ、色及び模様の両方を染色できる。
【００３３】
また、前記の実施形態の他の例として、染色装置１は、手ぬぐいに限らず、他の生地も染色できる。
【００３４】
また、前記の実施形態の他の例として、転写ロール４の外周面４ａに形成される溝は、外周面４ａに直接形成された溝ではなく、転写ロール４に交換可能に取り付けられる転写板に形成された溝によって形成されることもできる。
【００３５】
また、前記の実施形態の他の例として、染色状態検出部６は、カメラ以外の検出手段、検出方式を採用して実現されることもできる。
【００３６】
また、前述の実施形態では、移動する被染色生地の表面及び裏面の何れか一の面に外周面が押し当てられ当該外周面上の染料で当該一の面に色及び模様の少なくとも何れかを転写するロールと、前記被染色生地の移動方向の前記ロールの後段で当該被染色生地に転写された色及び模様の少なくとも何れかを検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、を有する染色装置を実現している。
【００３７】
また、前述の実施形態では、移動する被染色生地の表面及び裏面の何れか一の面にロールの外周面が押し当てられ当該外周面上の染料で当該一の面に色及び模様の少なくとも何れかを転写し、前記被染色生地の移動方向の前記ロールの後段で当該被染色生地に転写された色及び模様の少なくとも何れかを検出し、検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する染色装置を実現している。
【００３８】
また、本考案の実施形態を開示したが、当業者によっては本考案の範囲を逸脱することなく変更が加えられうることは明白である。すべてのこのような修正及び等価物が次の請求項に含まれることが意図されている。
【符号の説明】
【００３９】
１  染色装置、３  浸漬ロール、４  転写ロール、５  送りロール、６  染色状態検出部、７  ロール圧制御部
【図１】
0003229983.tif 000003
【図２】
0003229983.tif 000004
【手続補正書】
【提出日】令和2年10月16日(2020.10.16)
【手続補正１】
【補正対象書類名】実用新案登録請求の範囲
【補正対象項目名】全文
【補正方法】変更
【補正の内容】
【実用新案登録請求の範囲】
【請求項１】
移動する被染色生地の表面及び裏面の何れか一の面に外周面が押し当てられ当該外周面上の染料で当該一の面に色及び模様の少なくとも何れかを転写するロールと、
前記被染色生地の移動方向の前記ロールの後段で当該被染色生地に転写された色及び模様の少なくとも何れかを検出する検出手段と、
前記検出手段の検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、
を有する染色装置。
【請求項２】
前記予め設定した色及び模様の少なくとも何れかの状態は、前記被染色生地が商品とされた際に両面が商品の使用者によって利用できるように設定された状態である請求項１に記載の染色装置。
【請求項３】
前記被染色生地は手ぬぐい生地である請求項１又は２に記載の染色装置。
【請求項４】
移動する被染色生地の表面及び裏面の何れか一の面に外周面が押し当てられ当該外周面上の染料で当該一の面に色及び模様の少なくとも何れかを転写するロールと、
前記被染色生地の移動方向の前記ロールの後段で当該被染色生地に転写された色及び模様の少なくとも何れかを検出した検出結果を基に、前記被染色生地に転写された一の面の色及び模様の少なくとも何れかが前記被染色生地の表面及び裏面の何れか他の面の色及び模様の少なくとも何れかに対して予め設定した色及び模様の少なくとも何れかの状態になるように前記一の面への前記ロールの外周面の接触圧力を調整する調整手段と、
を有する染色装置。